(57)【要約】【課題】  ベッド板を垂直方向や回転方向に動かせるもので、動きは大きいが複雑でなく、シンプルであり、場所をとり、活性度は未知数と思われる。また、乗馬を模した運動負荷を付与する揺動型運動装置で、ベッドによる運動神経及び脳の活性化を行うものではない。【解決手段】基台上に、上下・左右・前後に振動可能な駆動装置を設けてなる装置本体を設け、駆動装置の駆動板の先端に、ベッドを取り付ける取付具を設け座体を固設してなることを特徴とする。【選択図】図１
2015062648.tif 000002
【特許請求の範囲】
【請求項１】
基台上に、上下・左右・前後に振動可能な駆動装置を設けてなる装置本体を設け、駆動装置の駆動板の先端に、ベッドを取り付ける取付具を設けた座体を固設してなることを特徴とする運動神経及び脳活性化訓練装置。
【請求項２】
取付具が、座体に溝を設けると共に、支持筒を設けてなることを特徴とする請求項１記載の運動神経及び脳活性化訓練装置。
【請求項３】
取付具が、ベルト及び／または座体の外周を包持する包持体であることを特徴とする請求項１記載の運動神経及び脳活性訓練装置。
【請求項４】
ベッドが、寝台の下面に支持筒に挿入する支持ピンを突設すると共に、溝に装着する固定部を設けてなることを特徴とする請求項１又は２記載の運動神経及び脳活性化訓練装置。
【請求項５】
ベッドに、握部及び足固定具を設けてなることを特徴とする請求項１、２、３又は４記載の運動神経及び脳活性化訓練装置。
【発明の詳細な説明】
【技術分野】
【０００１】  本発明は、乗馬運動とベッドによる運動神経及び脳の活性化ができる運動神経及び脳活性化訓練装置に関するものである。
【背景技術】
【０００２】    従来の技術としては、回転支持台に、回転軸にてシーソー状に形成し、垂直方向に可動可能なベッド板を設けると共に、回転支持台を水平方向に回転させる回転台を設けてなることを特徴とする運動神経等活性化訓練装置がある。（特許文献１参照）【０００３】  また、別の従来技術として、着座面を有する部材と、前記部材の着座面に着座した使用者に運動負荷を付与するために前記部材を揺動する揺動機構とを備え、前期部材は、前記揺動機構の台座に傾斜して取り付けられることを特徴とする揺動型運動装置がある。（特許文献２参照）
【先行技術文献】
【特許文献】
【０００４】
【特許文献１】  特開２００７−３０１３７号公報
【特許文献２】  特開２００７−２１２３１号公報
【発明の概要】
【発明が解決しようとする課題】
【０００５】  上記前者は、ベッド板を垂直方向や回転方向に動かせるもので、動きは大きいが複雑でなく、シンプルであり、場所をとり、活性度は未知数と思われる。【０００６】  上記後者は、乗馬を模した運動負荷を付与する揺動型運動装置で、ベッドによる運動神経及び脳の活性化を行うものではない。【０００７】  本発明は、このような従来の構成が有していた問題を解決しようとするもので、座体にベッドを着脱自在に取り付けることにより乗馬運動に加え、ベッドによる運動神経及び脳の活性化を行うことのできる運動神経及び脳活性化訓練装置を提供することを目的とする。
【課題を解決するための手段】
【０００８】    本発明は上記目的を達成するため、基台上に、上下・左右・前後に振動可能な駆動装置を設けてなる装置本体を設け、駆動装置の駆動板の先端に、ベッドを取り付ける取付具を設け座体を固設してなること。取付具が、座体に溝を設けると共に、支持筒を設けてなること。また、ベルト・包持体である。ベッドが、寝台の下面に支持筒に挿入する支持ピンを突設すると共に、溝に装着する固定部を設けてなること。ベッドに、握部及び足固定具を設けてなることを特徴とする。
【発明の効果】
【０００９】１）、上下・左右・前後に振動可能な駆動装置に、ベッドを取り付ける取付具を設けた座体を固設することにより、乗馬運動及びベッドによる運動神経及び脳の活性化することができる。
２）、取付具が、溝と支持筒により構成されることにより、乗馬時にも邪魔することなく使用できる。
３）、ベッドに設けた固定部を溝に、支持ピンを支持筒にそれぞれ挿入して取り付けることができる。
４）、取付具が、ベルト及び／または包持体にすることにより、簡単に、座体に対して着脱自在に取り付けることができる。
５）、ベッドに、握部と足固定具を設けることにより、駆動装置の動きにも、振り落とされることなく運動できる。
【図面の簡単な説明】
【００１０】
【図１】  本発明の一実施例を示す装置本体の正面図。
【図２】  本発明の一実施例を示す装置本体の側面図。
【図３】  本発明の一実施例を示すベッドの正面図。
【図４】  本発明の一実施例を示すベッドの側面図。
【図５】  本発明の運動神経及び脳活性化訓練装置の使用状態図。
【発明を実施するための形態】
【００１１】  運動神経及び脳活性化訓練装置は、装置本体１とベッド７より構成される。
装置本体１は、基台２上の本体３ａ内に、上下・左右・前後に揺動可能な駆動装置３ｂを設けてなる装置本体３を設け、駆動装置３ｂの駆動板４の先端に、後述するベッドを着脱自在に取り付けるべく２箇所に溝５ａを２箇所に支持筒５ｂを設けてなる取付具５を設けてなる座体６を固設してなるものである。
なお、駆動装置３ｂの構造等は、特に限定するものではなく、上下・左右・前後に揺動するものであればよい。（図１・図２参照）
【００１２】  ベッド７は、平板状の寝台７ａの下面に支持筒５ｂに挿入する支持ピン７ｂを突設すると共に、溝５ａに装着する係止板による固定部７ｃを設けると共に、寝台７ａの前方側面に握部７ｄ及び、寝台７ａの後方上部に凹凸テープによる足固定具７ｅを設けてある。（図３・図４参照）
【００１３】  運動神経及び脳活性化訓練装置の使用例について説明する。
まず、装置本体１の座体６の溝５ａ及び支持筒５ｂに、ベッド７の固定部７個呼び支持ピン７ｂを挿入して固定する。
つぎに、寝台７上に使用者Ｓが仰向けになり、両足に足固定具７をｅを取り付け固定する。
つづいて、両手で握部７ｄを握り、スイッチＳＴを入れる。
この状態で、寝台７が上下・左右・前後に、ランダムに揺動することにより、使用者Ｓは、寝台７から落下しないように握部７ｄをしっかり握り、かつ、両足が足固定具７ｅから外れないように力を入れることにより、脳内のシナプスの情報伝達能力が上がり、運動神経や脳活性化（記憶力等）の能力アップが期待できる。
また、平衡感覚の訓練にもよく、船酔いの訓練にもなる。
なお、寝台７を取り付けなければ、通常の乗馬運動できる。（図４参照）
【００１４】  上記運動神経及び脳活性化訓練装置において、駆動装置の動きや速さ及び時間は、スイッチＳＴ等で自由に選定できるものとする。
また、寝台７ａの寸法や材質は、必要に応じて決めればよい。
さらに、必要に応じて腹部をベルト等で固定してもよい。
さらにまた、取付具においては、ベルト（図示せず）や包持体（図示せず）は、大きさ、形状等、着脱自在に取り付けられれば、特に限定しない。
【符号の説明】
【００１５】１−−−装置本体
２−−−基台
３−−−装置本体
４−−−駆動板
５−−−取付具
６−−−座体
７−−−ベッド
Ｓ−−−使用者
【図１】
2015062648.tif 000003
【図２】
2015062648.tif 000004
【図３】
2015062648.tif 000005
【図４】
2015062648.tif 000006
【図５】
2015062648.tif 000007